(57)【要約】【課題】遊技盤の後側に取り付けられた設置部材の外側に配設された配線の摩損や断線を防止する。【解決手段】  設置部材６０の設置壁部６１における右外周縁部から該設置壁部６１と基板ベース部材７２との間に亘り、遊技盤３０に配設された電気部品９５と設置壁部６１に設置された第１中継基板８０とを接続する第１配線９６が、基板ベース部材７２を取り付ける第２ベース固定部７１の縁部を通る配線ラインＬに沿うよう配設される。第２ベース固定部７１には、配線ラインＬに臨む縁部に凹部１０５が設けられ、第１配線９６は該凹部１０５を通過可能となっている。また、凹部１０５における設置壁部６１の後面から離間した後縁部１０５ｂは、配線ラインＬの傾斜に合わせて傾斜状に形成される。【選択図】図１０
2015202147.tif 000002
【特許請求の範囲】
【請求項１】
遊技盤の後面と所要の空間を画成して相対する設置壁部を有して前方に開放する箱状に形成され、前記設置壁部の外周前端部を前記遊技盤の後面に対向した状態で該遊技盤に配設される設置部材と、前記設置壁部の後面から後方へ突出して設けられ、該設置壁部の後面と所要の間隔をおいて取付部材を固定するためのベース固定部とを備え、電気部品と基板または基板同士を接続する配線が、前記設置壁部の外周縁部から該設置壁部と取付部材との間に亘り、該設置壁部の後面に対し傾斜すると共に前記ベース固定部の縁部を通る配線ラインに沿って配設される遊技機において、
前記ベース固定部の前記配線ラインに臨む縁部には、該配線ラインから離間する方向へ凹となる形状をなし、前記配線の通過を許容する凹部が設けられ、
前記凹部における前記設置壁部の後面から離間した縁部は、前記配線ラインの傾斜に合わせて傾斜状に形成されている
ことを特徴とする遊技機。
【請求項２】
前記取付部材には、前記ベース固定部の後端部に固定される固定支持部が設けられ、
前記固定支持部の前記配線ラインに臨む端部が、該配線ラインの傾斜に合わせて傾斜状に形成されている請求項１記載の遊技機。
【請求項３】
前記設置壁部における配線ラインに沿う部位には、該配線ラインの傾斜に合うよう傾斜する配線保持部が形成された請求項１または２記載の遊技機。
【請求項４】
前記配線保持部は、前記設置壁部の外方へ開口する半樋状に形成され、配線ラインの延在方向と交差する方向での幅が、開口側より底側が狭くなっている請求項３記載の遊技機。
【発明の詳細な説明】
【技術分野】
【０００１】
この発明は、遊技盤の裏面側からの配線を、該遊技盤の裏面に配設された設置部材の後側に設けた基板に接続するよう構成した遊技機に関するものである。
【背景技術】
【０００２】
例えば、遊技機の代表例の一つであるパチンコ機は、固定枠としての外枠に開閉自在に組み付けられた本体枠としての中枠に、前面にパチンコ球が打ち出される遊技領域が画成された遊技盤が着脱自在に配設される。遊技盤の前側には、始動入賞装置や特別入賞装置が遊技領域内に配設されると共に、遊技状態に合わせて発光演出を行う発光演出装置等(以下、電気部品という)が該遊技領域の内外に設けられる。また、遊技盤の後側には、箱状に形成された設置部材が配設され、この設置部材には、各種図柄を変動表示して図柄変動演出を行う液晶式やドラム式等の図柄表示装置が配設される。このようなパチンコ機では、遊技領域に打ち出して該遊技領域内を流下する遊技球が始動入賞装置に設けた始動口に入賞することで、図柄表示装置での図柄変動演出を開始させると共に遊技球を賞球として払出すよう構成されている。そして、図柄変動演出の結果、図柄表示装置に特定の図柄の組合わせ(大当り図柄)が表示されると、遊技者に有利な特別遊技(大当り遊技)を発生して、図柄表示装置における演出に合わせて特別入賞装置の入賞口を開放した後に、予め設定された所定のラウンド遊技を繰返して、遊技者に多数の賞球を払出す好機を与えるようになっている。
【０００３】
前記設置部材は、前方に開放する箱状に形成され、遊技盤の後面に所定の間隔をおいて対向する設置壁部と、該設置壁部の周縁部から前方に延出する外周壁部とを備え、該外周壁部の前端縁を遊技盤の後側に当接して該遊技盤の後側に配設される。設置部材の設置壁部の前側には、可動演出装置や装飾部材等が配設されると共に、設置壁部の後側には、複数のコネクタ受部を備えた中継基板が、該設置壁部に固定される基板ベース部材を介して配設されている。そして、遊技盤の前面に配設した電気部品から該遊技盤の裏側へ導出された配線は、設置部材の外周壁部の外側へ引き出されて該外周壁部および設置壁部の後側に沿うように配設されて中継基板のコネクタ受部に接続される。このような遊技機は、特許文献１に開示されている。
【先行技術文献】
【特許文献】
【０００４】
【特許文献１】特開２００９−２６８５５３号公報
【発明の概要】
【発明が解決しようとする課題】
【０００５】
前記設置部材における設置壁部の外面には、突出部、角部および縁部等(以降「突部」という)が形成されており、前記配線が該突部に接触した状態で中継基板のコネクタ受部に接続された場合に、車両での搬送中に発生する振動による突部との擦れにより配線の被覆材が摩損して内側の導線が露出したり、場合によっては該導線が断線する不都合が発生することがある。また、前記電気部品が、特許文献１に開示された可動演出装置のような可動体を備えた装置の場合には、該可動体の可動時に配線が引張られて突部に接触するように該配線が配設されていると、前述と同様に該突部との擦れにより配線の被覆材が摩損して内側の導線が露出したり、該導線が断線することがある。
【０００６】
すなわち本発明は、従来技術に係る遊技機に内在する前記問題に鑑み、これらを解決するべく提案されたものであって、遊技盤の後側に取り付けられた設置部材の外側に配設された配線の摩損や断線を防止することができる遊技機を提供することを目的とする。
【課題を解決するための手段】
【０００７】
前記課題を解決し、所期の目的を達成するため、本願の請求項１に係る遊技機は、
遊技盤(30)の後面と所要の空間を画成して相対する設置壁部(61)を有して前方に開放する箱状に形成され、前記設置壁部(61)の外周前端部を前記遊技盤(30)の後面に対向した状態で該遊技盤(30)に配設される設置部材(60)と、前記設置壁部(61)の後面から後方へ突出して設けられ、該設置壁部(61)の後面と所要の間隔をおいて取付部材(72)を固定するためのベース固定部(71)とを備え、電気部品(95)と基板(80)または基板同士を接続する配線(96)が、前記設置壁部(61)の外周縁部から該設置壁部(61)と取付部材(72)との間に亘り、該設置壁部(61)の後面に対し傾斜すると共に前記ベース固定部(71)の縁部を通る配線ライン(L)に沿って配設される遊技機において、
前記ベース固定部(71)の前記配線ライン(L)に臨む縁部には、該配線ライン(L)から離間する方向へ凹となる形状をなし、前記配線(96)の通過を許容する凹部(105)が設けられ、
前記凹部(105)における前記設置壁部(61)の後面から離間した縁部(105b)は、前記配線ライン(L)の傾斜に合わせて傾斜状に形成されていることを要旨とする。
【０００８】
請求項１に係る発明によれば、遊技盤の後側に取り付けられた設置部材の設置壁部に、配線ラインに隣接した位置で後方に突出して設けられたベース固定部には、該配線ラインから離間する方向へ凹となる形状をなす凹部が設けられているので、設置壁部の外周縁部から該設置壁部と取付部材との間に亘り延在する配線が前記凹部を通ることで、配線が振動により動いても該配線がベース固定部に接触し難くなる。これにより、ベース固定部との接触による配線の摩損や断線を防止することができる。
【０００９】
請求項２に係る遊技機では、
前記取付部材(72)には、前記ベース固定部(71)の後端部に固定される固定支持部(75)が設けられ、
前記固定支持部(75)の前記配線ライン(L)に臨む端部(75b)が、該配線ライン(L)の傾斜に合わせて傾斜状に形成されていることを要旨とする。
請求項２に係る発明によれば、設置壁部の外周縁部から該設置壁部と取付部材との間に亘り延在する配線が、ベース固定部に固定された取付部材の固定支持部と接触し難くなり、該固定支持部との接触による配線の摩損や断線を防止し得る。
【００１０】
請求項３に係る遊技機では、
前記設置壁部(61)における配線ライン(L)に沿う部位には、該配線ライン(L)の傾斜に合うよう傾斜する配線保持部(107)が形成されたことを要旨とする。
請求項３に係る発明によれば、設置壁部の外周縁部から該設置壁部と取付部材との間に亘り延在する配線を配線保持部に沿わせることで、該配線を無理なく配設することができる。
【００１１】
請求項４に係る遊技機では、
前記配線保持部(107)は、前記設置壁部(61)の外方へ開口する半樋状に形成され、配線ライン(L)の延在方向と交差する方向での幅が、開口側より底側が狭くなっていることを要旨とする。
請求項４に係る発明によれば、複数の配線を配線保持部により纏まった状態に保持することができると共に、振動による該配線の動きを該配線保持部で規制することもできる。
【発明の効果】
【００１２】
本発明に係る遊技機によれば、遊技盤の後側に取り付けられた設置部材の外側に配設された配線の摩損や断線を防止することができる。
【図面の簡単な説明】
【００１３】
【図１】実施例に係るパチンコ機の正面図である。
【図２】実施例に係るパチンコ機の背面図である。
【図３】遊技盤の正面図である。
【図４】遊技盤および該遊技盤の後側に取り付けられる設置部材が分離した状態を右前上方から見た斜視図である。
【図５】遊技盤および該遊技盤の後側に取り付けられる設置部材が分離した状態を右後下方から見た斜視図である。
【図６】遊技盤の後側に取り付けた設置部材に、主制御基板を固定した基板ベース部材を取り付ける状態を、右後下方から見た斜視図である。
【図７】遊技盤の後側から設置部材の右側方へ引き出された第１配線を、配線ラインに通して該設置部材の設置壁部と基板ベース部材との間に引き込んだ状態を示す斜視図である。
【図８】遊技盤の後側から設置部材の右側方へ引き出された第１配線を、配線ラインに通して該設置部材の設置壁部と基板ベース部材との間に引き込んだ状態を示す側面図である。
【図９】遊技盤の後側から設置部材の右側方へ引き出された第１配線を、配線ラインに通して該設置部材の設置壁部および図示省略した基板ベース部材の間に配設された第１中継基板に接続した状態を示す背面図である。
【図１０】図９のＸ１−Ｘ１線位置で破断した断面図である。
【図１１】設置部材に設けられた配線引出し部に位置する配線出口から基板ベース部材に設けられ配線引込み部に位置する配線入口に亘り、配線ラインが延在することを示す説明図である。
【発明を実施するための形態】
【００１４】
次に、本発明に係る遊技機の基板取付構造につき、好適な実施例を挙げて、添付図面を参照しながら以下詳細に説明する。なお、遊技機としては、遊技球としてパチンコ球を使用する一般的なパチンコ機１０を例にして説明する。また、以下の説明において、「前」、「後」、「左」、「右」とは、特に断りのない限り、図１に示すようにパチンコ機１０を前側(遊技者側)から見た状態で指称する。
【実施例】
【００１５】
(パチンコ機)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤３０を着脱可能に保持する本体枠としての中枠１２が、開閉および着脱可能に組み付けられている。そして、図２に示すように、遊技盤３０の裏側に、所定条件の成立(後述する第１始動入賞装置４５の第１始動入賞口４５ａまたは第２始動入賞装置４６の第２始動入賞口４６ａ(図３参照)へのパチンコ球の入賞)を契機として、演出用の図柄を変動表示させて図柄変動演出を行なう図柄表示装置１８が着脱可能に配設されている。また、中枠１２の前面側には、遊技盤３０を透視保護するガラス板や透明な合成樹脂材により形成された保護板１４で前後に開口する窓部を覆うよう構成された装飾枠としての前枠１３が開閉可能に組み付けられると共に、該前枠１３の下方にパチンコ球を貯留する下球貯留部１５が中枠１２に組み付けられる。更に、前枠１３の下部位置に、パチンコ球を貯留する上球貯留部１６が一体的に組み付けられており、前枠１３の開閉に合わせて上球貯留部１６も一体的に開閉するよう構成される。
【００１６】
前記中枠１２の右下方位置には、該中枠１２に配設された打球発射装置(図示せず)を作動する操作ハンドル１７が設けられており、該操作ハンドル１７の操作により打球発射装置が作動されることで、上球貯留部１６に貯留されたパチンコ球が所定間隔(例えば、０.６秒間隔)で１球ずつ遊技盤３０に向けて連続的に発射されるようになっている。なお実施例では、図柄表示装置１８として、各種図柄を表示可能な液晶パネルを収容ケースに収容した液晶表示装置が採用されるが(図２、図４、図５参照)、これに限られるものではなく、ドラム式の図柄表示装置やドットマトリックス式の図柄表示装置等の各種図柄を停止および変動表示可能な従来公知の各種の表示装置を採用し得る。また、上球貯留部１６は、前枠１３と別体に形成して中枠１２に対して開閉可能に組み付けるようにしてもよい。
【００１７】
前記中枠１２の後側上方には、図２に示すように、設置枠台等に設けられた外部球供給設備(図示せず)から供給されるパチンコ球を貯留する球タンク１９が配設されると共に、後側の上下中央より下方には、上球貯留部１６および下球貯留部１５に連通する球供給路および設置枠台に設けた球回収樋に連通する球排出路が夫々形成されたセット部材２０が配設されている。また、中枠１２の裏側における左方には、球タンク１９とセット部材２０とを連通接続する球通路ユニット２１が上下に架設され、該球通路ユニット２１に配設された球払出装置２２の駆動により球タンク１９に供給されたパチンコ球を上下の球貯留部１６,１５へ給出するよう構成されている。セット部材２０には、球払出装置２２を駆動制御する払出制御装置１２６や、前記打球発射装置を駆動制御する発射制御装置１２７等が配設されている。払出制御装置１２６は、遊技盤３０の裏側に配設される設置部材６０(図５参照)の後側に取り付けられた主制御装置１２０に第２中継基板８５(後述)を介して電気的に接続されており、該主制御装置１２０からの制御信号に基づいて払出制御装置１２６が球払出装置２２を制御する。また発射制御装置１２７も、主制御装置１２０に電気的に接続されており、該主制御装置１２０からの制御信号に基づいて発射制御装置１２７が前記打球発射装置を制御する。
【００１８】
(遊技盤)
前記遊技盤３０は、図３〜図５に示すように、アクリルやポリカーボネート等の光透過性を有する合成樹脂製板またはベニア等の木製合板を材質とし、中枠１２に設けた遊技盤保持部(図示せず)の内縁形状に整合する外縁形成された略矩形の平板状に形成され、その前側には遊技領域３１が設けられると共に、その後側には設置部材６０が配設されている。遊技盤３０の前側には、左下部から右上部にかけて円弧状に延在する外レール３２と、この外レール３２の内側に中央下部から左上部にかけて並べて配置された内レール３３と、外レール３２の右上部から内レール３３の下部までの間に右方へ凹む湾曲形状に構成された盤面飾り部材３４等が配設されており、両レール３２,３３および盤面飾り部材３４で囲まれた内側が遊技領域３１として構成されている。これにより、操作ハンドル１７の操作により作動する打球発射装置から発射されたパチンコ球は、外レール３２と内レール３３との間を通って遊技領域３１の左上部に打ち込まれた後、該遊技領域３１内を流下する。但し、遊技領域３１は、内レール３３の延在長を大きく設定して、外レール３２および該内レール３３で形成するようにしてもよい。
【００１９】
前記遊技盤３０には、図４に示すように、前後に大きく開口した第１貫通口３５が形成され、該第１貫通口３５の下方に、遊技盤３０の左右中央から左側に亘って円弧状に延在して前後に開口する第２貫通口３６が形成されると共に、該第１貫通口３５の下方右側に、第３貫通口３７および第４貫通口３８が上下の関係で形成されている。更に、遊技盤３０の右下に、第５貫通口３９が形成されている。第１貫通口３５には、前後に開口した表示窓口４１ａが形成された枠状装飾部材４１が配設されている。枠状装飾部材４１は、遊技盤３０の前面より前方へ突出した環状の装飾部４１ｂを備え、該装飾部４１ｂにより遊技領域３１と表示窓口４１ａとを区画すると共に、設置部材６０の後側に着脱可能に配設された図柄表示装置１８の表示部１８ａや、該設置部材６０の前側に配設された装飾装置１１８,１１９および各可動演出装置１１５,１１６,１１７等を、表示窓口４１ａに臨ませた状態で配設される。また、枠状装飾部材４１は、左右に延在するステージ４２が表示窓口４１ａの下部に設けられ、遊技領域３１とステージ４２とを連通する球導入路４３が、装飾部４１ｂの左側内部に設けられると共に、環状部４１ｂの下部中央に、ステージ４２の中央と連通する球送出口４４が設けられている。従って、遊技領域３１から球導入路４３に入ったパチンコ球が、ステージ４２上を左右に転動した後に前方へ落下したり、球送出口４４から第１始動入賞装置４５の真上へ落下するようになっている。
【００２０】
前記第２貫通口３６には、図３〜図５に示すように、第１始動入賞口４５ａが設けられた第１始動入賞装置４５と、普通入賞口４９ａが設けられた普通入賞装置４９とが、遊技盤３０の前側から配設されている。第３貫通口３７には、入球口４８ａが設けられた入球処理装置４８と、該入球処理装置４８にユニット化されて特別入賞口４７ａが設けられた特別入賞装置４７とが、遊技盤３０の前側から配設されている。第４貫通口３８には、第２始動入賞口４６ａが設けられた第２始動入賞装置４６が、遊技盤３０の前側から配設されている。また、第５貫通口３９には、後述する電気部品９５が、遊技盤３０の前側から配設されている。そして、遊技領域３１内には、多数の球案内釘５０や、回転案内具５１および球通過ゲート５２が配設されている。なお、遊技領域３１は、第１貫通口３５に配設した枠状装飾部材４１により、該枠状装飾部材４１の左側に位置する第１遊技領域３１ａおよび右側に位置する第２遊技領域３１ｂに分かれている。
【００２１】
前記第１始動入賞装置４５、第２始動入賞装置４６、入球処理装置４８、特別入賞装置４７および普通入賞装置４９には、各々に入賞したパチンコ球を検知する球検知センサが個別に配設され、各球検知センサからの球検知信号は、前記設置部材６０の後側に取り付けられて当該パチンコ機１０を総合的に制御する前記主制御装置１２０に送出される。主制御装置１２０は、第１、第２始動入賞装置４５,４６の球検知センサからの検知信号を受けると、大当り抽選を行なうと共に、設置部材６０の後側に取り付けられた統括制御装置１２４に制御信号を出力して図柄表示装置１８に図柄変動演出を行なわせると共に、中枠１２の後側に配設された払出制御装置１２６に制御信号を出力して、球払出装置２２に所定数のパチンコ球を賞球として払い出させる。そして、主制御装置１２０における大当り抽選の結果として大当りが発生した場合は、図柄表示装置１８の表示部１８ａでの図柄変動演出の後に、該表示部１８ａに所定の図柄組合わせで図柄が停止表示され、特別入賞装置４７の特別入賞口４７ａを開放して多数のパチンコ球の入賞が可能となる。また主制御装置１２０は、特別入賞装置４７および入球処理装置４８の球検知センサからの検知信号を受けると、払出制御装置１２６に制御信号を出力して球払出装置２２に所定数のパチンコ球を賞球として払い出させる。更に主制御装置１２０は、普通入賞装置４９の球検知センサからの検知信号を受けると、払出制御装置１２６に制御信号を出力して球払出装置２２に所定数のパチンコ球を賞球として払い出させる。
【００２２】
(設置部材)
前記設置部材６０は、図４〜図６に示すように、前方に開放する略矩形の箱状に形成された合成樹脂製の部材であって、前側の開放端を遊技盤３０の後面に突き合わせて該遊技盤３０に取り付けられる。この設置部材６０は、遊技盤３０の後面に対して後方から所要の間隔で対向して該遊技盤３０の後面を構成する設置壁部６１と、この設置壁部６１の周縁から前方へ延出形成された外周壁部６２と、この外周壁部６２の前端から外方に向けて延出した外周前端部６３を備えている。すなわち設置部材６０は、外周壁部６２で囲われて遊技盤３０側に開放する前部開口が矩形状に形成されると共に、外周前端部６３の外周縁が、遊技盤３０の外周縁より一回り小さい形状に形成されている。このような設置部材６０は、外周前端部６３を遊技盤３０の後面にネジ固定することで該遊技盤３０に固定され、遊技盤３０の後面から離間した設置壁部６１の前側に、装飾装置１１８,１１９や、各可動演出装置１１５,１１６,１１７等の配設を可能とする空間Ｓを画成するよう構成されている(図８、図１０参照)。
【００２３】
図４に示すように、前記設置部材６０における設置壁部６１には、前後に貫通する略矩形の表示開口６４が形成され、該設置壁部６１は、表示開口６４の上側に位置する上板部６１ａ、該表示開口６４の左側に位置する左板部６１ｂ、該表示開口６４の右側に位置する右板部６１ｃおよび該表示開口６４の下側に位置する下板部６１ｄから構成されている。そして、上板部６１ａの前面に第１可動演出装置１１６が配設され、左板部６１ｂの前面に左装飾装置１１８および第２可動演出装置１１７が配設され、右板部６１ｃの前面に右装飾装置１１９が配設されると共に、下板部６１ｄの前面に第３可動演出装置１１７が配設されている。一方、図５および図６に示すように、設置部材６０における設置壁部６１の後側には、図柄表示装置１８を着脱可能に取り付けるための装置設置部６５と、第１〜第３中継基板８０,８５,９０を取り付けるための基板設置部６６,６７,６８と、主制御装置１２０が固定された基板ベース部材(取付部材)７２を取り付けるためのベース固定部６９とが設けられている。
【００２４】
(装置設置部)
前記装置設置部６５は、設置壁部６１の各板部６１ａ,６１ｂ,６１ｃ,６１ｄにおいて表示開口６４を囲むように設けられ、全体が略平坦で略矩形に構成されている。そして、装置設置部６５の左縁上部および左縁下部に、図柄表示装置１８の収容ケース２３に設けられた係止突部(図示せず)が側方から差し込み係止可能な係止部(図示せず)が設けられている。また、装置設置部６５の右縁上部および右縁下部には、該収容ケース２３に配設された係止具２４,２４(図５、図６参照)が係止される係止孔部(図示せず)が開設されている。
【００２５】
(基板設置部)
図５、図６、図９および図１１に示すように、下板部６１ｄの後側における装置設置部６５の下側において、該下板部６１ｄにおける左右中央から左側に、第１中継基板(基板)８０が装着される第１基板設置部６６が設けられ、該第１基板設置部６６の右側に、第２中継基板８５が装着される第２基板設置部６７が設けられると共に、該第２基板設置部６７の右側(下板部６１ｄの右縁に隣接した部位)に、第３中継基板９０が装着される第３基板設置部６８が設けられている。第１基板設置部６６は、第１中継基板８０の外形サイズに合わせて横長の略矩形に形成され、後方へ突出したリブ片６６ａが外縁部に沿って延在形成されている。第２基板設置部６７は、第２中継基板８５の外形サイズに合わせて縦長の略矩形に形成され、後方へ突出したリブ片６７ａが外縁部に沿って延在形成されている。第３基板設置部６８は、第３中継基板９０の外形サイズに合わせて略Ｌ字形に形成され、後方へ突出したリブ片６８ａが設置壁部６１の外縁部に沿って延在形成されている。
【００２６】
(ベース固定部)
前記ベース固定部６９は、図６に示すように、設置壁部６１の下板部６１ｄにおける後側左部(図６では、第１基板設置部６６の右側)において後方へ突設された第１ベース固定部７０と、該下板部６１ｄにおける後側右部(図６では、第３基板設置部６８の上側)において後方へ突設された第２ベース固定部(ベース固定部)７１とから構成されている。第１ベース固定部７０は、下板部６１ｄに一体に形成され、後方へ突出して上下に延在する支持壁部７０ａと、該支持壁部７０ａから右方へ延出した係止片部７０ｂとを備えている。そして、第１ベース固定部７０は、基板ベース部材７２の左縁に設けられた係止突部(図示せず)を、係止片部７０ｂの前側へ差し込むことで該係止突部を係脱可能に係止すると共に、基板ベース部材７２を垂直軸周りで回動可能に保持し得るよう構成されている。
【００２７】
前記第２ベース固定部７１は、図６〜図１１に示すように、設置壁部６１の下板部６１ｄに一体に形成され、後方へ突出した円筒状の筒壁部７１ａと、該筒壁部７１ａの後縁に平坦に形成された頂部７１ｂとから構成されている。頂部７１ｂには、基板ベース部材７２の右縁部に配設された固定具７７の挿通係止が可能な係止孔７１ｃが開設されている。なお、筒壁部７１ａは、下板部６１ｄに連設する基部側より頂部７１ｂ側が小径となっており、基部側から頂部７１ｂに向けて円錐状に傾斜している。
【００２８】
(基板ベース部材)
前記基板ベース部材７２は、図２および図６に示す如く、主制御装置１２０の基板ケース１２１が取り付けられるケース設置部７３と、該ケース設置部７３の左縁から左側方へ突出する２つの係止突部７４,７４と、該ケース設置部７３の右端から右側方へ突出する固定支持部７５とを備えている。ケース設置部７３は、基板ケース１２１の外縁形状、サイズに合わせて横長矩形状の平坦に形成され、該ケース設置部７３の外縁に、前方へ延出するリブ７３ａが形成されている。また、図６および図７に示すように、固定支持部７５は、円形に形成された円板部７５ａと、該円板部７５ａの外縁から前方へ延出する円筒状の周縁部(端部)７５ｂとを備え、円板部７５ａには、前記固定具７７が挿通支持される挿通孔７５ｃが形成されている(図１０参照)。ここで、円板部７５ａの前側部分は、該円板部７５ａおよび周縁部７５ｂにより前方へ開口した円形の嵌合部７５ｄが形成されており、第２ベース固定部７１の頂部７１ｂ側が該嵌合部７５ｄに嵌合するよう構成されている(図１０参照)。また、図６〜図８に示すように、固定支持部７５の下側には、リブ７３ａから右方(図)へ延出して、右方および前方へ開口した配線引込み部７６が形成されている。この配線引込み部７６は、後述する配線ラインＬに通した第１配線９６と、第３中継基板９０に配設されたコネクタ接続端子９２に接続された第２配線９３とを、設置壁部６１と基板ベース部材７２との間へ引き込む配線入口Ｐ２を画成する(図７、図８、図１０、図１１参照)。
【００２９】
前記基板ベース部材７２は、図２および図６に示すように、左縁に形成された各係止突部を第１ベース固定部７０の係止片部７０ｂ,７０ｂに係合させると共に、固定支持部７５を第２ベース固定部７１に嵌合させ、かつ固定具７７を該第２ベース固定部７１の係止孔７１ｃに係止させることで、設置壁部６１の下板部６１ｄから後方へ所要距離離間した状態で設置部材６０に固定される。そして、基板ベース部材７２は、第１基板設置部６６に装着された第１中継基板８０および第２基板設置部６７に装着された第２中継基板８５を後方から覆うようになっている。
【００３０】
(図柄表示装置)
前記図柄表示装置１８は、図５および図６示すように、各種図柄を表示可能な表示部１８ａをなす液晶パネルが収容ケース２３に収容されたユニット部材である。収容ケース２３の左縁部には、装置設置部６５に設けられた係止部に差し込み可能な係止突部２３ａ,２３ａが設けられると共に、該収容ケース２３の右縁部には、装置設置部６５の右縁に設けられた係止孔に係脱可能に係止する係止具２４,２４が配設されている。従って、図柄表示装置１８は、係止突部を係止部に係止すると共に、各係止具２４を各係止孔に係止させることで、表示部１８ａを表示開口６４に臨ませた状態で装置設置部６６に着脱可能に取り付けられる(図３参照)。なお、収容ケース２３の後面には、図柄表示装置１８の表示部１８ａの表示制御を行なう表示制御装置１２５と、当該パチンコ機１０の遊技演出を統括的に制御する前記統括制御装置１２４が配設されている。
【００３１】
(主制御装置)
前記主制御装置１２０の主制御基板１２０Ａは、不正なプログラムが記憶されたＲＯＭを搭載した基板と交換されることを防ぐために、図６および図１０に示すように、前ケース１２１ａと後ケース１２１ｂとからなる基板ケース１２１に収容されて、基板ベース部材７２の裏側に取り付けられる。前ケース１２１ａおよび後ケース１２１ｂは、開封方向への回転が困難に形成されたネジで連結することで主制御基板１２０Ａを封入した状態で保持し、該ネジによる締結部位を破壊しない限り基板ケース１２１の開放を阻止する構成を採用することで、該主制御基板１２０Ａの不正交換を抑止するようにしている。なお、実施例では、主制御基板１２０Ａを基板ケース１２１に収容したものを主制御装置１２０と指称する。基板ケース１２１の左端に、左側方に突出する差込み突部１２２が設けられると共に(図２参照)、該基板ケース１２１の右端に、装置固定具１２３が配設されている(図６、図７参照)。そして、基板ベース部材７２に設けられた差込み受部７３ｂに差込み突部１２２を差し込むと共に、該基板ベース部材７２に設けられた係止受部７３ｃに装置固定具１２３を係止固定することで、主制御装置１２０が該基板ベース部材７２に取付固定されるようになっている。
【００３２】
(第１中継基板)
前記第１中継基板８０は、主制御装置１２０、統括制御装置１２４、表示制御装置１２５、第１〜第３可動演出装置１１５,１１６,１１７、遊技盤３０の右下部に設けられた第５貫通口３９に配設された電気部品９５(図３〜図５参照)等を電気的に接続する基板である。図６および図９に示すように、第１中継基板８０の表面８０ａには、主制御装置１２０からの配線、統括制御装置１２４からの配線、表示制御装置１２５からの配線、第１〜第３可動演出装置１１５,１１６,１１７からの配線等が接続されるコネクタ接続端子８１や、電気部品９５に接続されて第５貫通口３９を介して該遊技盤３０の後面に引き出された第１配線９６(後述)のコネクタ９７が接続されるコネクタ接続端子８２等が配設されている。このような第１中継基板８０は、第１基板設置部６６に対してネジ等により固定される。
【００３３】
実施例における前記電気部品９５は、特図表示器や普図表示器である。電気部品９５としての特図表示器とは、第１始動入賞装置４５の第１始動入賞口４５ａおよび第２始動入賞装置４６の第２始動入賞口４６ａへのパチンコ球の入賞を契機として変動表示を開始する発光表示部から構成されて、該発光表示部で複数種類の特別図柄(大当りか否かなどの内部抽選の結果を示す報知用の図柄)を表示するものである。また、電気部品９５としての普図表示器とは、球通過ゲート５２でのパチンコ球の通過を契機として変動表示を開始する発光表示部から構成されて、該発光表示部で複数種類の普通図柄を表示するものである。
【００３４】
(第２中継基板)
前記第２中継基板８５は、第１始動入賞装置４５、第２始動入賞装置４６、特別入賞装置４７、入球処理装置４８および普通入賞装置４９の球検知センサや各種センサ等と、主制御装置１２０とを電気的に接続する基板である。図６および図９に示すように、第２中継基板８５の表面８５ａには、第１始動入賞装置４５、第２始動入賞装置４６、特別入賞装置４７、入球処理装置４８および普通入賞装置４９に入賞したパチンコ球を検知する各球検知センサからの配線(図示せず)が接続されるコネクタ接続端子８６が配設されている。また、第２中継基板８５の表面８５ａには、主制御装置１２０からの配線(図示せず)が接続されるコネクタ接続端子８７等が配設されている。このような第２中継基板８５は、第２基板設置部６７に対してネジ等により固定される。
【００３５】
(第３中継基板)
前記第３中継基板９０は、図７、図９および図１１に示すように、中枠１２の後部右側に固定されたコネクタ(図示せず)に接続されるコネクタ接続端子９１と、第１中継基板８０のコネクタ端子と接続される第２コネクタ接続端子９２とを備える。ここで、コネクタ接続端子９１は、所謂ドッキングコネクタであって、設置部材６０を後側に取り付けた遊技盤３０を、中枠１２に設けた遊技盤保持部に対して該中枠１２の前側から装着する際に、中枠１２に固定されたコネクタに前方から接続されるよう構成されている。また、図７および図８に示すように、コネクタ接続端子９２に接続された第２配線９３は、配線引込み部７６により形成された配線入口Ｐ２を介して、前記第１配線９６と共に設置部材６０の設置壁部６１と基板ベース部材７２との間へ引き込まれる。このような第３中継基板９０は、第３基板設置部６８に対してネジ等により固定される。なお、実施例では、第３中継基板９０が、上下に分離した２つの基板から構成されている。
【００３６】
(配線配設構造)
次に、前記設置部材６０に設けられた配線配設構造について、図面を引用して説明する。実施例では、図５〜図１０に示すように、遊技盤３０の前面右下に配設された電気部品９５から導出され、設置壁部６１の後側に設けられた第１基板設置部６６に固定された第１中継基板８０のコネクタ接続端子８２に接続される第１配線９６の配設構造について例示する。遊技盤３０の後面に引き出された第１配線９６は、設置部材６０の外周壁部６２における右壁６２ａの下部に設けられた配線引出し部１００を介して該右壁６２ａの右側方へ引き出され、設置壁部６１の後面における右下部分(図５および図６では左下)を左方へ通して該設置壁部６１と基板ベース部材７２との間に引き込まれ、第１中継基板８０のコネクタ接続端子８２に接続される。
【００３７】
図７〜図１１に示すように、配線引出し部１００に臨む設置壁部６１の右外周縁部に、前後に開口する配線出口Ｐ１が設けられると共に、基板ベース部材７２の右側に位置する配線引込み部７６により右方および前方に開口する配線入口Ｐ２が設けられている。そして、電気部品９５から後方へ延在した第１配線９６は、配線出口Ｐ１から配線入口Ｐ２から設置壁部６１と基板ベース部材７２との間へ引き込まれ、配線出口Ｐ１から配線入口Ｐ２の間において、設置部材６０の外方へ露出すると共に左方に位置する第１中継基板８０に向けて左方へ向きを変える。ここで、配線出口Ｐ１と配線入口Ｐ２との位置関係は、配線入口Ｐ２が、配線出口Ｐ１に対し後方かつ下方に位置している(図８〜図１１参照)。従って、配線出口Ｐ１と配線入口Ｐ２とを直線で結んだ配線ラインＬは、設置壁部６１の外面に対し、左に行くにつれて後方かつ僅かに下方へ変位するよう傾斜している。ここで、配線ラインＬは、配線出口Ｐ１の略中央から配線入口Ｐ２の略中央まで直線に延在する基準ラインであり、配線出口Ｐ１から配線入口Ｐ２へ延在する第１配線９６を該配線ラインＬに沿わせた場合に、該第１配線９６を最短の距離で配設することが可能となっている。
【００３８】
(配線引出し部について)
図７〜図１０に示すように、設置部材６０における外周壁部６２の右壁６２ａには、遊技盤３０の右下部に配設された前記電気部品９５から該遊技盤３０の後側へ導出された第１配線９６を該設置壁部６１の右外方へ引き出すための配線引出し部１００が設けられている。配線引出し部１００は、右壁６２ａの前端から後方へ延在して前方および左右に開口しており、遊技盤３０の後面と設置部材６０の設置壁部６１との空間Ｓ内から該設置部材６０の外方へ第１配線９６を引き出すことを可能とする。なお、外周壁部６２の右壁６２ａには、配線引出し部１００の右側に離間した位置において上方へ延出する配線保持片１０１が設けられている。これにより、配線引出し部１００から引き出された第１配線９６は、該配線保持片１０１により右側方へのはみ出しが規制され、配線出口Ｐ１に位置するようになっている(図９、図１０参照)。
【００３９】
(第２ベース固定部に設けられた凹部について)
実施例では、図９に示すように、前記配線出口Ｐ１および配線入口Ｐ２を結ぶ配線ラインＬに対し、前記第２ベース固定部７１における筒壁部７１ａの下縁部が、上下方向で略一致する位置に突設されている。そこで、図７〜図１１に示すように、第２ベース固定部７１の筒壁部７１ａにおける配線ラインＬに臨む下縁部に、該配線ラインＬから離間する方向へ凹となる形状をなす凹部１０５が設けられている。すなわち、第２ベース固定部７１の筒壁部７１ａは、配線ラインＬに臨む下縁部が上方へ切り欠かれ、該凹部１０５における左右に離間する縁部(横縁部)１０５ａ,１０５ａが、配線ラインＬの上方に離間して位置している。これにより、配線出口Ｐ１から配線入口Ｐ２へ延在する第１配線９６が、第２ベース固定部７１の下側において、背面視で直線状に延在することが可能となっている(図９参照)。
【００４０】
また、図７、図８および図１０に示すように、第２ベース固定部７１に形成された凹部１０５において、設置壁部６１の後面から離間した後側の縁部(後縁部)１０５ｂが、配線ラインＬの傾斜に合わせて傾斜状に形成されている。すなわち、凹部１０５の後縁部１０５ｂは、左に行くにつれて後方へ変位するよう傾斜している。これにより、配線出口Ｐ１から配線入口Ｐ２へ延在する第１配線９６は、第２ベース固定部７１に設けられた凹部１０５により、該第２ベース固定部７１と接触し難くなっている。なお、「凹部１０５の後縁部１０５ｂが配線ラインＬに合わせて傾斜状に形成されている」とは、後縁部１０５ｂの傾斜角度と配線ラインＬの傾斜角度とが一致することを意味するものではなく、配線出口Ｐ１側に対して配線入口Ｐ２側が後方へ変位する配線ラインＬの傾斜態様に合わせて、後縁部１０５ｂを、右の横縁部１０５ａ側に対して左の横縁部１０５ａ側が後方へ変位する傾斜状に形成することを意味する。
【００４１】
(配線保持部について)
図７〜図１０に示すように、設置壁部６１において、配線出口Ｐ１と第２ベース固定部７１との間に、左右方向へ延在する配線保持部１０７が形成されている。配線保持部１０７は、配線出口Ｐ１側に対して第２ベース固定部７１側が後方へ変位するよう傾斜しており、配線ラインＬに沿って延在している。ここで、配線保持部１０７の配線保持面１０８は、設置壁部６１の外面から前方へ凹むと共に後方(外方)へ開口する半樋状に形成されている。また、配線保持部１０７の配線保持面１０８は、配線ラインＬの延在方向と交差する方向での幅が、開口側より底部側が狭くなっている。より具体的に、配線保持部１０７の配線保持面１０８は、配線ラインＬの延在方向と直交する方向での断面が、凹円弧状の曲面をなす半樋状に形成されている。従って、配線出口Ｐ１から配線入口Ｐ２へ延在する複数(実施例では４本を例示)の第１配線９６は、配線保持部１０７の配線保持面１０８に沿わせることで、該配線保持部１０７の底部側に纏められた状態で保持され得るようになっている。
【００４２】
(仕切片について)
図７〜図９に示すように、配線保持部１０７と第３基板設置部６８との境界部に、後方へ延出する仕切片１１０が、左右方向へ延在して設けられている。この仕切片１１０は、配線保持部１０７より後方へ突出しており、該配線保持部１０７に沿わせた第１配線９６が、第３基板設置部６８に設置した第３中継基板９０に接触するのを防止するためのものである。
【００４３】
(固定支持部について)
更に、図７〜図１０に示すように、基板ベース部材７２に設けられて第２ベース固定部７１の後端部に嵌合固定される前記固定支持部７５における円弧状の周縁部７５ｂは、配線ラインＬに臨む端部(前端部)が、該配線ラインＬの傾斜に合わせて傾斜状に形成されている。すなわち、固定支持部７５の周縁部７５ｂにおける前端下側には、左に行くにつれて後方へ変位する傾斜部１１１が形成されている。これにより、第２ベース固定部７１に嵌合固定された際に配線ラインＬの後方に位置する固定支持部７５の周縁部７５ｂは、配線出口Ｐ１から配線入口Ｐ２へ延在する第１配線９６に接触し難くなっている。
【００４４】
(実施例の作用)
実施例のパチンコ機１０では、該遊技盤３０の前面右下に取り付けた電気部品９５から該遊技盤３０の後側へ引き出した各第１配線９６を、該設置部材６０に設けた配線引出し部１００の前側開口に整合させた状態で、該設置部材６０を遊技盤３０の後側に設置部材６０を取り付ける。そして、配線引出し部１００を介して設置部材６０の右側方へ引き出された第１配線９６を、外周壁部６２の右壁６２ａに設けた配線保持片１０１の右側から後方に向けることで、該第１配線９６は配線出口Ｐ１に位置する。次いで、配線出口Ｐ１に位置する第１配線９６は、設置壁部６１の後側(左方)へ曲げて、配線ラインＬの外側(後側)を通すようにする。そして、第１配線９６は、図６〜図１０に示すように、配線保持部１０７の配線保持面１０８に沿わせると共に、第２ベース固定部７１に設けられた凹部１０５の近傍を通し、第２基板設置部６７に設置された第２中継基板８５の後側を通した後に、第１基板設置部６６に設置した第１中継基板８０のコネクタ接続端子８２にコネクタ９７を接続する。これにより、第１配線９６は、電気部品９５と第１中継基板８０とを電気的に接続する。
【００４５】
前記第１配線９６の配設作業が完了した後、主制御装置１２０が固定された基板ベース部材７２を、ベース固定部６９の第１ベース固定部７０および第２ベース固定部７１を利用して設置部材６０に取り付ける。これにより、配線出口Ｐ１に引き出された第１配線９６は、基板ベース部材７２の配線引込み部７６により形成された配線入口Ｐ２を通り、設置部材６０と該基板ベース部材７２との間に延在する。
【００４６】
従って、実施例のパチンコ機１０では、遊技盤３０の後面に設置部材６０を取り付ける際に、第１配線９６を配線引出し部１００の開口に整合させることで、設置部材６０と遊技盤３０の後面との間に該第１配線９６が挟み込まれる不都合も回避でき、挟み込みによる該第１配線９６の断線を防止し得る。
【００４７】
また、設置部材６０の設置壁部６１において、配線ラインＬに隣接した位置で後方に突設された第２ベース固定部７１の筒壁部７１ａに、該配線ラインＬから離間する方向へ凹となる形状をなす凹部１０５が設けられ、配線出口Ｐ１から配線入口Ｐ２へ延在する第１配線９６が第２ベース固定部７１に接触し難くなっているので、該第１配線９６が突っ張ることを防止し得る。これにより、第１配線９６が該第１配線９６の延在方向へ引っ張られることが回避され、該第１配線９６のコネクタ９７が第１中継基板８０のコネクタ接続端子８２から抜けることによる導通不良や、抜けかかることによる接触不良が発生することも防止し得る。
【００４８】
また、第２ベース固定部７１の筒壁部７１ａに凹部１０５が設けられているので、配線出口Ｐ１から配線入口Ｐ２へ延在する第１配線９６がパチンコ機１０の振動により該筒壁部７１ａ側へ動いたとしても、該第１配線９６が第２ベース固定部７１に接触し難いので、該第２ベース固定部７１との接触による第１配線９６の被覆材の摩損や導線の断線を防止することができる。特に、第２ベース固定部７１に隣接する部位において、前記第２配線９３が第１配線９６と並んで配設されていても、該第１配線９６が第２ベース固定部７１に接触し難くなる。更に、第２ベース固定部７１に設けた凹部１０５の後縁部１０５ｂが、配線ラインＬの傾斜に合わせて傾斜しているので、配線出口Ｐ１から配線入口Ｐ２へ延在する第１配線９６がパチンコ機１０の振動により後縁部１０５ｂ側へ動いたとしても、該第１配線９６が第２ベース固定部７１に接触し難いので、該第２ベース固定部７１との接触による第１配線９６の被覆材の摩損や導線の断線を防止することができる。
【００４９】
更に、設置壁部６１に、該配線ラインＬの傾斜に合わせて傾斜する配線保持部１０７を設けたので、配線引出し部１００から配線出口Ｐ１へ引き出した第１配線９６を、配線入口Ｐ２側へ無理なく配設することができる。しかも、配線保持部１０７の配線保持面１０８は、断面が半円弧の曲面をなす半樋状に形成されているので、配線ラインＬに通した複数本の第１配線９６を纏まった状態に保持することができる。更に、各第１配線９６が配線保持部１０７により纏まった状態で保持されるので、パチンコ機１０の振動による該第１配線９６が上下方向へ動くことを規制することもできる。
【００５０】
また、第２ベース固定部７１の後端部に嵌合固定される基板ベース部材７２の固定支持部７５は、周縁部７５ｂにおける配線ラインＬに臨む端部に、該配線ラインＬの傾斜に合わせて傾斜する傾斜部１１１が設けられているので、配線出口Ｐ１から配線入口Ｐ２へ延在する第１配線９６がパチンコ機１０の振動により固定支持部７５側へ動いたとしても、該第１配線９６が該固定支持部７５に接触することが回避される。これにより、該固定支持部７５との接触による第１配線９６の被覆材の摩損や導線の断線を防止することができる。
【００５１】
更に、基板ベース部材７２の右側に配線引込み部７６が設けられているので、第１配線９６の後方への移動を該配線引込み部７６で規制することが可能である。
【００５２】
(変更例)
本発明に係る遊技機は、実施例に例示の形態に限らず種々の変更が可能である。
（１）前記電気部品９５は、実施例に例示した特図表示器や普図表示器に限らず、遊技盤３０に配設される可動演出装置や装飾装置等の電気機器や電子機器の全てが対象とされる。また電気部品９５は、設置部材６０の前側に配設された可動演出装置や装飾部材等の電気機器や電子機器等も対象とされる。
（２）実施例では、配線引出し部１００が外周壁部６２の右壁６２ａに設けられた場合を例示したが、該配線引出し部１００は、遊技盤３０の後側における第１配線９６の引出し位置に近い位置であれば、外周壁部６２の左壁や、上壁または下壁に設けることも可能である。これに伴って、配線ラインＬは、配線引出し部１００と中継基板との間を連なるように、設置壁部６１の後面における様々な位置に設けることが可能である。
（３）配線保持部１０７は、断面が半円弧状の曲面をなす半樋状に限るものではなく、設置壁部６１への開口側より底部側の幅が狭くなる形状であれば、断面がＶ字形をなす半樋状や、断面が台形をなす半樋状等であってもよい。
（４）配線は、第２中継基板８５に配設したコネクタ接続端子８７に接続されるものや、主制御装置１２０の主制御基板１２０Ａに配設されたコネクタ接続端子に接続されるものであってもよい。また、配線は、基板同士を接続するものであってもよい。
（５）実施例では、遊技機としてのパチンコ機を示したが、遊技機はパチンコ機に限られるものではなく、アレンジボール機等であってもよい。
【符号の説明】
【００５３】
３０ 遊技盤
６０ 設置部材
６１ 設置壁部
７１ 第２ベース固定部(ベース固定部)
７２ 基板ベース部材(取付部材)
７５ 固定支持部
７５ｂ 周縁部(端部)
８０ 第１中継基板(基板)
９５ 電気部品
９６ 第１配線(配線)
１０５ 凹部
１０５ｂ 後縁部(縁部)
１０７ 配線保持部
Ｌ 配線ライン
【図１】
2015202147.tif 000003
【図２】
2015202147.tif 000004
【図３】
2015202147.tif 000005
【図４】
2015202147.tif 000006
【図５】
2015202147.tif 000007
【図６】
2015202147.tif 000008
【図７】
2015202147.tif 000009
【図８】
2015202147.tif 000010
【図９】
2015202147.tif 000011
【図１０】
2015202147.tif 000012
【図１１】
2015202147.tif 000013